(57)【要約】  生きている魚の獲物の自然な動きを真似るべく、水中で、自己推進動作と、手動操作と、の２つで動作可能なフィッシングルアーである。当該フィッシングルアーは、バッテリーを収容するための水密性本体部と、バッテリーに接続された制御部と、制御部に接続されたモータと、モータ駆動される尾部シャフトによって動作可能に本体部に接続された尾部組立体と、を備え、尾部組立体が振動させられて水中で当該フィッシングルアーが推進される。別の特徴によれば、バッテリーは、制御部を介してコイルに接続され、コイルは、磁石に対して相対的に位置決めされており、前記コイルは、当該コイルを通過する制御部規定交流により当該コイルと前記磁石との間の磁極相互作用に応じて振動するようになっている。当該コイル振動は、尾部組立体の動きを引き起こし、当該フィッシングルアーをして水中を自己推進させる。
2016525891.tif 000002
【特許請求の範囲】
【請求項１】
電気エネルギーを提供するバッテリーを収容するための水密性本体部と、
前記バッテリーに接続された制御部と、
前記制御部に接続され前記電気エネルギーを機械エネルギーに変換するモータと、
前記本体部の一端に動作可能に接続された尾部組立体と、
１以上のフック及び１以上の釣り糸を当該フィッシングルアーに取り付けるために前記本体部に固定された複数の締結具と、
を備え、
前記尾部組立体は、前記モータによって駆動され当該尾部組立体を振動させ当該フィッシングルアーを水中で推進させる尾部シャフトによって前記本体部に接続されている
ことを特徴とするフィッシングルアー。
【請求項２】
前記モータは、前記本体部内に固定された磁石を有しており、
前記磁石は、前記本体部内で方向付けられていて、給電可能なコイルとの交流相互作用を許容するようになっており、
前記給電可能なコイルは、前記尾部シャフトに接続されていて、前記コイルの前記交流相互作用によって当該尾部シャフトをして振動させるようになっている
ことを特徴とする請求項１に記載のフィッシングルアー。
【請求項３】
前記磁石は、その極性が前記コイルに向かうように方向付けられて提供されていて、前記コイルが第１電流で給電される時に当該磁石が引力を生成すると共に前記コイルが逆の第２電流で給電される時に当該磁石が斥力を生成するようになっている
ことを特徴とする請求項２に記載のフィッシングルアー。
【請求項４】
前記コイルの給電は、前記コイルの電流の方向を変えて当該コイルの磁極を変えることによって、前記制御部によって制御される
ことを特徴とする請求項３に記載のフィッシングルアー。
【請求項５】
前記モータは、ギヤボックスを有する電気モータか、リニア駆動モータである
ことを特徴とする請求項１に記載のフィッシングルアー。
【請求項６】
前記尾部組立体は、前記尾部シャフトに接続された舵部を有しており、
前記舵部は、当該舵部の上方に取り付け可能な尾部アタッチメントを更に支持する
ことを特徴とする請求項１に記載のフィッシングルアー。
【請求項７】
前記尾部アタッチメントは、魚の尾部、幼虫類の尾部、ネズミの尾部、ビーバーの尾部、芋虫類の尾部、分裂型の尾部、タコのスタイルの尾部、または、商業的に入手可能なフィッシングルアーの任意のスタイルの尾部、に似るように成形されている
ことを特徴とする請求項６に記載のフィッシングルアー。
【請求項８】
前記尾部アタッチメントは、交換可能である
ことを特徴とする請求項７に記載のフィッシングルアー。
【請求項９】
前記複数の締結具は、当該フィッシングルアーの背部に位置付けられた第１糸締結具を有しており、
当該フィッシングルアーは、自己推進モードにおいて、当該第１糸締結具において釣り糸に取り付け可能である
ことを特徴とする請求項１に記載のフィッシングルアー。
【請求項１０】
前記複数の締結具は、当該フィッシングルアーの頭部に位置付けられた第２糸締結具を有しており、
当該フィッシングルアーは、手動モードにおいて、当該第２糸締結具において釣り糸に取り付け可能である
ことを特徴とする請求項９に記載のフィッシングルアー。
【請求項１１】
当該フィッシングルアーは、プラグルアーとして成形されている
ことを特徴とする請求項１に記載のフィッシングルアー。
【請求項１２】
前記プラグルアーは、リップ無しクランクベイトルアーである
ことを特徴とする請求項１１に記載のフィッシングルアー。
【請求項１３】
前記プラグルアーは、リップ付きクランクベイトルアーである
ことを特徴とする請求項１１に記載のフィッシングルアー。
【請求項１４】
前記複数の締結具は、
当該フィッシングルアーの背部に位置付けられた第１糸締結具と、
前記クランクベイトリップに位置付けられた第２糸締結部と、
を有しており、
当該フィッシングルアーは、自己推進モードにおいて、前記第１糸締結具において釣り糸に取り付け可能であり、手動モードにおいて、前記第２糸締結具に取り付け可能である
ことを特徴とする請求項１３に記載のフィッシングルアー。
【請求項１５】
前記複数の締結具は、当該フィッシングルアーの腹部に位置付けられた１以上のフック締結具を有している
ことを特徴とする請求項１に記載のフィッシングルアー。
【請求項１６】
自己推進モードと手動モードとの間で転換可能なフィッシングルアーであって、
制御部を介してコイルに電気的に接続されたバッテリーを収容する水密性本体部と、
当該フィッシングルアーの背部に位置付けられた第１糸締結具と、
当該フィッシングルアーの頭部に位置付けられた第２糸締結具と、
を備え、
前記コイルは、磁石に対して相対的に位置決めされており、
前記コイルは、当該コイルを通過する制御部規定交流により当該コイルと前記磁石との間の磁極相互作用に応じて振動するようになっており、
前記コイル振動は、前記コイル及び前記水密性本体部に係合された尾部組立体の動きを引き起こし、当該フィッシングルアーをして水中を自己推進させるようになっており、
当該フィッシングルアーは、水中を自己推進される時には、前記第１糸締結具で釣り糸に取り付け可能であり、手中を手動操作される時には、前記第２糸締結具に取り付け可能である
ことを特徴とするフィッシングルアー。
【請求項１７】
当該フィッシングルアーは、リップ無しクランクベイトルアーとして成形されている
ことを特徴とする請求項１６に記載のフィッシングルアー。
【請求項１８】
当該フィッシングルアーは、リップ付きクランクベイトルアーとして成形されている
ことを特徴とする請求項１６に記載のフィッシングルアー。
【請求項１９】
前記第２糸締結部は、前記リップ付きクランクベイトルアーのリップ部に位置付けられている
ことを特徴とする請求項１８に記載のフィッシングルアー。
【請求項２０】
前記尾部組立体は、魚の尾部、幼虫類の尾部、ネズミの尾部、ビーバーの尾部、芋虫類の尾部、分裂型の尾部、タコのスタイルの尾部、または、商業的に入手可能なフィッシングルアーの任意のスタイルの尾部、に似るように成形された尾部アタッチメントを有している
ことを特徴とする請求項１９に記載のフィッシングルアー。
【請求項２１】
前記尾部アタッチメントは、交換可能である
ことを特徴とする請求項２０に記載のフィッシングルアー。
【請求項２２】
請求項１６に記載のフィッシングルアーを備えたキットであって、
前記尾部組立体は、１以上の交換可能な尾部アタッチメントを有しており、
各尾部アタッチメントは、異なるスタイルの尾部に似るように成形されている
ことを特徴とするキット。
【請求項２３】
前記１以上の交換可能な尾部アタッチメントは、魚の尾部、幼虫類の尾部、ネズミの尾部、ビーバーの尾部、芋虫類の尾部、分裂型の尾部、タコのスタイルの尾部、または、商業的に入手可能なフィッシングルアーの任意のスタイルの尾部、に似るように成形されている
ことを特徴とする請求項２２に記載のキット。
【発明の詳細な説明】
【技術分野】
【０００１】
本発明は、フィッシングルアーの分野に関している。特には、本発明は、生きている餌の動きを模倣するべく水中を自己推進する交換可能なフィッシングルアーに関している。
【背景技術】
【０００２】
釣り餌が魚を惹きつけるのに成功するのは、提供される当該餌の特性、例えば、魚のようなテクスチャ、匂い、色、に左右される。自然界の釣り餌、例えば、小さな餌魚、ミミズ類、ヒル、小魚、カエル、トカゲ、昆虫、等は全て、広く利用されている自然の餌である。多くの釣り人は、捕食性の魚を惹きつけるために、生きているか死んでいる自然の釣り餌を使うことを好む。しかしながら、自然の釣り餌の利用を介しての病気感染に関する懸念やエコシステム汚染のリスクが、人工ルアーを魅力的な代替品にしている。
【０００３】
人工の釣り餌は、ルアーとも呼ばれており、魚の獲物を真似るように設計されている。特に、人工のフィッシングルアーは、典型的には、フックを有すると共に、当該餌が水中を引っ張られる時に当該餌を震わせるか振動させるよう設計された付属肢をその外面に時々有する。水中におけるルアーの出現と退去とを手動で操作することで、フィッシングルアーの動きは、魚の獲物の動きを真似るよう、釣り人によって制御され得る。このようにして、ルアーが魚を餌に惹きつけることが意図されている。
【０００４】
従来のフィッシングルアーは、魚の獲物に似るように設計された、多数の異なるスタイルに発展した。これらは、プラグ、ジグ、スピナー（回転式疑餌針）、毛ばり、スプーン等を含んでいる。スプーンは、例えば、一般には金属の皿型片であって、当該金属皿の曲率のために水中で引っ張られる時に回転する乃至震えるフックを有している。プラグまたはスピナーは、大まかに魚の形状を有していて、魚のように見えるべく、典型的には色が塗られ、またはパターンが付されている。プラグまたはスピナーは、わずかに窪んだリップ部を有しており、当該リップ部は、水中でプラグが引っ張られる時、当該プラグまたはスピナーを震えさせて当該餌に魚を惹きつける。
【発明の概要】
【発明が解決しようとする課題】
【０００５】
少なくとも部分的にそれら自身の動きを提供して生きている魚を真似しようとする人工ルアーも存在している。その例が、自己推進ルアーであり、それは、典型的には、周囲を取り囲むケーシングと、バッテリーと、モータと、ギヤセットと、からなっており、当該ルアーの尾部をあちこち斜め方向に駆動する。これら自己推進ルアーは、水中で当該ルアーを操作する釣り人の技にあまり依存しないで済むが、自然の獲物を真似た動きを実現することは、チャレンジングである（難しい）ことが見出されている。更に、自己推進ルアーの動きは１次元であり得るし、釣り人自身がルアーの動きを制御ないし変更する機会もほとんどない。
【０００６】
人工ルアーの共通の特徴は、手動操作型であれ自己推進型であれ、それらが釣り糸にしっかり結び付けられる必要があることである。釣り人は、特定の獲物を釣り上げるために、好みのスタイルのルアーを有していることが典型的であるが、しばしば、成功の機会を改善するべく、用いられているルアーのスタイルを変更することが望まれる。そうすることは、人工ルアーが釣り糸から切断され、新しいルアーが結び付けられることを要求する。このことは、厄介で不便である。
【０００７】
以上の背景の情報は、本件出願人が本発明に潜在的に関連すると信じた情報を、公知のものとする目的で提供されている。先行する当該情報のいずれかが本発明に対する従来技術を構成する、等ということは、一切自認されていないし、そう解されるべきでもない。
【課題を解決するための手段】
【０００８】
フィッシングルアーに関する例示的な実施形態が、本明細書に開示されている。本発明の例示的な実施形態は、生きている餌の動きを模倣するべく水中で自己推進する交換可能なフィッシングルアーに関する。更なる例示の実施形態に従って、本発明は、自己推進モードと手動モードとの２つのモードを有する交換可能なフィッシングルアーに関する。
【０００９】
本発明の１つの特徴に従って、電気エネルギーを提供するバッテリーを収容するための水密性本体部と、前記バッテリーに接続された制御部と、前記制御部に接続され前記電気エネルギーを機械エネルギーに変換するモータと、前記本体部の一端に動作可能に接続された尾部組立体と、１以上のフック及び１以上の釣り糸を当該フィッシングルアーに取り付けるために前記本体部に固定された複数の締結具と、を備え、前記尾部組立体は、前記モータによって駆動され当該尾部組立体を振動させ当該フィッシングルアーを水中で推進させる尾部シャフトによって前記本体部に接続されている、というフィッシングルアーが提供される。
【００１０】
本発明の別の特徴によれば、自己推進モードと手動モードとの間で転換可能なフィッシングルアーが提供される。当該フィッシングルアーは、制御部を介してコイルに電気的に接続されたバッテリーを収容する水密性本体部と、当該フィッシングルアーの背部に位置付けられた第１糸締結具と、当該フィッシングルアーの頭部に位置付けられた第２糸締結具と、を備え、前記コイルは、磁石に対して相対的に位置決めされており、前記コイルは、当該コイルを通過する制御部規定交流により当該コイルと前記磁石との間の磁極相互作用に応じて振動するようになっており、当該コイル振動は、前記コイル及び前記水密性本体部に係合された尾部組立体の動きを引き起こし、当該フィッシングルアーをして水中を自己推進させるようになっており、当該フィッシングルアーは、水中を自己推進される時には、前記第１糸締結具で釣り糸に取り付け可能であり、手中を手動操作される時には、前記第２糸締結具に取り付け可能である。
【００１１】
本発明の更なる特徴によれば、本発明によるフィッシングルアーを備えたキットが提供される。そこでは、尾部組立体が、１以上の交換可能な尾部アタッチメントを有しており、各尾部アタッチメントは、異なるスタイルの尾部に似るべく成形されている。
【００１２】
本発明のこれらの特徴及び他の特徴は、添付の図面を参照しながら、以下の詳細な説明においてより明らかとなるであろう。
【図面の簡単な説明】
【００１３】
【図１】図１は、本発明の実施形態に従うフィッシングルアーの側面図であり、当該フィッシングルアーの外部が図示されている。
【００１４】
【図２】図２は、本発明の実施形態に従う、フィッシングルアーの内部を図示している。
【００１５】
【図３Ａ】図３Ａは、本発明の実施形態に従う、フィッシングルアーの３つのバリエーションの側方断面図である。
【図３Ｂ】図３Ｂは、本発明の実施形態に従う、フィッシングルアーの３つのバリエーションの側方断面図である。
【図３Ｃ】図３Ｃは、本発明の実施形態に従う、フィッシングルアーの３つのバリエーションの側方断面図である。
【００１６】
【図４】図４は、本発明の実施形態に従う、図３Ａに図示されたリップ無しフィッシングルアー形態の、拡大側方断面図である。
【００１７】
【図５】図５は、本発明の実施形態に従う、図３Ｂに図示されたリップ付きフィッシングルアー形態の、拡大側方断面図である。
【００１８】
【図６】図６は、本発明の実施形態に従う、別の尾部形状の実施形態を示す図３Ｃに図示されたフィッシングルアーの、拡大側方断面図である。
【００１９】
【図７】図７は、本発明の実施形態に従う、フィッシングルアーの上面断面図である。
【００２０】
【図８】図８は、本発明の実施形態に従う、フィッシングルアーの上面断面図である。
【発明を実施するための形態】
【００２１】
本発明の実施形態によるフィッシングルアーは、生きている魚の獲物の自然な動きを真似るような水中での自己推進動作のために、モータ駆動される。本発明のフィッシングルアーは、モータ駆動される尾部組立体を備えており、それは、当該フィッシングルアーの本体部に対して横方向の振動動作を有する。尾部組立体の当該横方向の振動動作は、当該フィッシングルアーを水中で推進させ、幾つかの実施形態では、当該フィッシングルアーは、生きている魚のように、回転させられ得る。幾つかの実施形態では、本発明のモータ組立体は、水中での当該フィッシングルアーの動きをもたらす最小数の可動部を有している。この態様では、生きている魚の獲物を更に真似るべく、当該フィッシングルアーの動作により生成されるノイズレベルが最小化される。
【００２２】
幾つかの実施形態によれば、フィッシングルアーは、交換可能な尾部を有する尾部組立体を備え得る。尾部の交換可能性は、フィッシングルアーが様々な魚の餌に似た様々なスタイルに変換されることを許容する。このような実施形態によれば、フィッシングルアーのスタイルは、切断及び釣り糸への再度の結び付けの必要なく、交換され得る。この態様では、本発明のフィッシングルアーは、ユーザに多数の選択肢を提供し、ターゲットの魚に最適なフィッシングルアーの選択を広げる。
【００２３】
本発明の所定の実施形態によれば、フィッシングルアーは、自己推進モードと、動作を制御するための手動モードと、の２種類で動作可能であり得る。特定の実施形態では、例えば、フィッシングルアー本体部及びフィッシングルアー浮き部の形状は、フィッシングルアーの特定の動きに組み込むべく修正され得る。例えば、フィッシングルアー本体部は、クランク餌ルアー、震えルアー、小魚ルアー、ポッパールアー、浅潜ルアー、深潜ルアー、のようなプラグルアーとして成形され得る。それは、水中で手動推進される時、フィッシングルアーが浅くまたは深く潜ることを可能にするリップ部を有し得る。この態様では、本発明のフィッシングルアーの動きは、手動で制御され得る。従って、本発明のこのような実施形態は、ユーザに、自己推進フィッシングルアーと手動動作フィッシングルアーとの間での切り替えの選択肢を提供する。
【００２４】
［自己推進モード］
図１及び図２を参照して、本発明のフィッシングルアー１は、浮き体構造であり、生きた魚のような動きで水中を自己推進するようにモータ駆動される。フィッシングルアー１は、本体組立体１０と尾部組立体２０とを備えている。尾部組立体２０は、本体組立体１０と作動可能に係合されており、自己推進モードにおいて手中で調和した動作を許容する。
【００２５】
（振動動作）
自己推進モード（図２、図７及び図８参照）において、尾部組立体２０は、本体部１０に対して機械的に振動し、それによってフィッシングルアー１を水中で推進する。尾部シャフト５０は、尾部組立体２０に接続されていて、当該尾部組立体２０を振動させるべくモータによって駆動される。尾部シャフト５０の非尾部側端は、本体部空洞内に入っていて、本体組立体１０内に収容されたモータに動作可能に接続されている。
【００２６】
本発明の実施形態によれば、モータは、本体組立体１０内に固定された磁石９０を有する電磁石モータであり、給電可能なコイル７０との交流相互作用を許容するべく方向付けられている。給電可能なコイル７０は、尾部シャフト５０に接続されていて、コイル７０の磁石５０との前記交流相互作用によって当該尾部シャフト５０をして振動させるようになっている。コイル７０は、バッテリー１３０と、当該コイル７０の電流方向すなわち当該コイル７０の磁極方向を制御するための制御部２０と、に電気的に接続されている。例えば、コイル７０が給電される時、磁極がコイル内で誘導され、当該磁極が磁石９０の磁極と相互作用する。特に、このような実施形態では、磁石９０は、コイル７０が第１電流で給電される時に引力を生成し、コイル７０が第２電流で給電される時に斥力を生成する。この態様では、電流方向を変えることが、給電コイル７０と磁石９０との間で生成される力の変更を引き起こし、取り付けられた尾部シャフト５９を振動させる。
【００２７】
ギヤボックスを有する従来の電気モータや、リニア駆動モータが、電磁石コイルモータの代わりに、尾部シャフト５０を駆動するために用いられ得る。そのような実施形態も、本発明に含まれる。
【００２８】
（機械的な尾部組立体）
再び図２を参照して、尾部組立体２０は、尾部アタッチメント４０ａが取り付けられる舵部３０を有している。舵部３０は、尾部アタッチメント４０ａのための支持構造を提供する。尾部アタッチメント４０ａは、舵部３０の上部に取り付けられる。尾部シャフト５０は、舵部３０で尾部組立体２０に接続しており、図２に示すように、尾部シャフト５０の反対の自由端は、本体組立体１０の尾部側端の開口を介して本体組立体１０に入って、尾部組立体２０を本体組立体１０に接続している。水密の本体空洞を維持するために、尾部シャフト５０の本体組立体１０の空洞への入り込みは、シールされている。ある実施形態では、当該シールは、シールリング６０によって提供されている。
【００２９】
図７及び図８に示すように、尾部シャフト５０は、本体組立体１０の内部空洞に入っていて、電磁石コイル７０に脱着可能に取り付けられている。ある実施形態では、尾部シャフト５０は、以下に説明されるように、取付ブラケット１９０を有していて、コイル７０を本体組立体１０内の所定位置に維持しつつ、コイル７０を尾部組立体２０に動作可能に接続している。
【００３０】
対向する磁極を有する磁石９０が、本体組立体１０内に固定されていて、コイル７０及び磁石９０は、協調して相互作用して、尾部組立体２０の振動をもたらす。好適な実施形態では、磁石９０はコイル７０の各側で保持ブラケット８０によって本体組立体１０内に固定されていて、磁石９０の中央軸はコイル７０の中央軸に対して垂直に配置されている。ある実施形態では、コイル７０はトロイダル形状であって、磁石９０は当該トロイダル形状を通って垂直に配置されている。
【００３１】
使用時、コイル７０が給電されると、コイル７０に形成される磁極が、コイル７０と磁石９０との間で、引力または斥力のいずれかを生成する。コイル７０と磁石９０との間でのこれら力の変更が、コイル７０を対応するように動かし、そのことが接続された尾部シャフト５０を介して最終的に尾部組立体２０を振動させる。磁石及びコイルの形態は、異なっていても良いが、同じ効果を有し得る、ということが当業者には明らかである。
【００３２】
（電源組立体）
コイル７０は、本体組立体１０内に位置する電源組立体に電気的に接続されている（１００）。電源組立体は、バッテリー１３０と、制御部ないし制御回路１２０と、を有している。ある実施形態（図２）では、電源組立体は、支持台１５によって本体組立体１０内に固定されており、電源組立体が本体組立体１０内の中央に収容されることを保証している。この態様では、フィッシングルアーの重量バランスの良い状態が保たれ、本体組立体１０内の部材の動きが防止される。
【００３３】
前述の通り、尾部組立体２０の動きは、コイル７０の磁石９０との交流相互作用によって制御され得る。これにより、フィッシングルアー１の移動方向は、コイル７０の電流方向を変えることによって、変更され得る。例えば、当業者に明らかであるように、電流パルスが、方向、持続時間、振幅において変更され得る、あるいは、オフセット正弦電流パルスをコイル７０に適用することで変更され得る。このようにして、フィッシングルアー１の動きが制御され得る。
【００３４】
ある実施形態では、制御部１２０は、ＰＣＢ及びオンオフスイッチ（不図示）を有している。ある実施形態では、制御部１２０は、更に、フィッシングルアー１の動作状態やフィッシングルアー１の充電状態を表示することが可能なＬＥＤインジケータを有し得る。
【００３５】
ある実施形態では、バッテリー１３０が充電可能である。例えば、本体組立体１０は、水密性のポートと、好適な充電プラグに接続するための充電ソケットと、を有し得る。
【００３６】
［自然モード］
本発明の実施形態によれば、フィッシングルアー１は、前述の自己推進モードと、手動モードと、の２つで動作可能である。自己推進モードでは、フィッシングルアー１は、自然な獲物を真似るよう水中で当該ルアーを操作する釣り人の技にあまり依存しないで済む。釣り人は、電源を入れるだけで、尾部組立体２０の振動動作を起動できる。釣り人は、釣り糸が付けられた釣り竿を、釣りたいと思う場所に向けるたけでよい。この態様では、自己推進モードによって、釣り人は、望まれるなら、釣り竿を固定式の釣り竿保持具に固定することによって、ハンドフリーで釣りをすることができる。任意の時に、釣り人は、フィッシングルアー１を手動モードで使うことができる。ある実施形態では、フィッシングルアー１の重量分布や重量バランスが、釣り人による手動の投入及び退去の態様で利用できるように、設計される。他の実施形態では、フィッシングルアー１は、当該フィッシングルアー１の手動の投入及び退去を容易にするような釣り糸の位置決めを許容するようになっている。
【００３７】
手動モードで使用される時でも、フィッシングルアー１は、駆動状態（パワーオン状態）に維持され得て、その場合、フィッシングルアー１は、釣り人による退去中でも自己推進動作を有する（維持する）。他の実施形態では、フィッシングルアー１は、手動モードでの使用のために電源オフされて、起動停止され得る。
【００３８】
自己推進モードで使用される時、フィッシングルアー１を、当該フィッシングルアー１の背部の中央位置で釣り糸に取り付けることが好適である。図２を参照して、この中央配置された釣り糸締結具１１０が、フィッシングルアー１が釣り糸上でバランスがとられて自然の獲物のように動くことを、保証する。
【００３９】
手動で操作されるフィッシングルアーは、釣り人に、当該ルアーを手中で操作することを要求する。フィッシングルアーの形状は、釣り人によって手動で投入及び退去がなされる時に当該ルアーが水中である態様で動くということを引き起こすように、設計され得る。従って、本発明のある実施形態は、本体組立体１０が手動モードで使用される時に水中で誘惑的に動くよう設計された、フィッシングルアー１を含む。例えば、幾つかの実施形態のフィッシングルアー１は、プラグルアーとして成形され得る。他の実施形態では、フィッシングルアー１は、リップ無しクランクベイトルアーとして成形され得る（図３Ａ及び図４参照）。更なる実施形態では、フィッシングルアー１は、頭部から延びるリップ部１８０ｂを有するリップ付きクランクベイトルアーとして成形され得る（図３Ｂ、図３Ｃ、図５及び図６参照）。このような実施形態を水中で上手く操作するために。幾つかの実施形態によるフィッシングルアー１は、その背部とは反対の頭部によって引っ張られ得る。従って、幾つかの実施形態のフィッシングルアー１は、自己推進モードでの使用のために、その背部で釣り糸に接続するようになっていて、手動モードでの使用のために、その頭部で接続するようになっていてもよい。
【００４０】
ある実施形態では、本発明のフィッシングルアー１は、本体組立体１０上に固定され、フック１６０ａ、１６０ｂ及び／または釣り糸及び／または錘を当該フィッシングルアー１に取り付けるための、複数の締結具１７０ａ、１７０ｂ、１１０、１５０を備えている。幾つかの実施形態では、フィッシングルアー１は、当該フィッシングルアー１の背部に位置付けられ、自己推進モード時に釣り糸に取り付け可能な、単一の釣り糸締結具１１０を有する。他の実施形態では、フィッシングルアー１は、２つの釣り糸締結具１１０、１５０を備え、第１釣り糸締結具１１０は、フィッシングルアー１の背部に位置決めされて、自己推進モード時に釣り糸に取り付け可能であり、第２釣り糸締結具１５０は、フィッシングルアー１の頭部に位置決めされて、手動モード時に釣り糸に取り付け可能である。更なる実施形態では、フィッシングルアー１は、２以上の釣り糸締結具１１０、１５０を有する。例えば、そのような実施形態では、第１釣り糸締結具１１０は、自己推進モードでの使用のために、フィッシングルアー１の背部に位置決めされ得て、第２釣り糸締結具１５０は、手動モードでの使用のために、フィッシングルアー１の頭部に位置決めされ得て、第３釣り糸締結具が、手動モードで本体部から距離をおいて釣り糸をつけるという選択肢を提供するべく、ルアーのリップ部１８０ｂに位置決めされ得る。２つの動作モード（デュアルモード）の実施形態では、従って、釣り人が、釣り糸を所望の釣り糸締結具に素早く再位置決めでき、フィッシングルアー１を自己推進型ルアーから手動ルアーへと、及びその逆も、変換できる。
【００４１】
１以上の釣り糸締結具１１０に加えて、本発明のフィッシングルアー１は、1以上のフック１６０ａ、１６０ｂを取り付けるための１以上のフック締結具１７０ａ、１７０ｂを有している。フック締結具１７０ａ、１７０ｂは、本体組立体１０上のとこに位置付けられてもよい。幾つかの実施形態では、１以上のフック締結具１７０ａ、１７０ｂが、ルアー本体部の腹部に位置決めされ得る。他の実施形態では、１以上のフック締結具（不図示）が、ルアー本体部の背部に位置決めされ得る。更なる実施形態では、１以上のフック締結具が、ルアー本体部の背部と腹部とに位置決めされ得る。
【００４２】
［交換可能形態］
図３Ａ、図３Ｂ、図３Ｃ及び図７に示すように、例えば、幾つかの実施形態において、フィッシングルアー１は、交換可能な尾部アタッチメント４０ａ、４０ｂ、４０ｃを有する尾部組立体２０を備え得る。尾部アタッチメント４０ａ、４０ｂ、４０ｃの交換可能性は、フィッシングルアー１が様々な魚の餌に似た様々なスタイルに変換されることを許容する。このような実施形態によれば、フィッシングルアー１のスタイルは、切断及び釣り糸への再度の結び付けの必要なく、交換され得る。この態様では、本発明のフィッシングルアー１は、ユーザに多数の選択肢を提供し、ターゲットの魚に最適なフィッシングルアーの選択を広げる。
【００４３】
尾部アタッチメント４０ａ、４０ｂ、４０ｃは、従来知られた任意の数の尾部スタイルの形状を取ることができる。例えば、尾部アタッチメント４０ａ、４０ｂ、４０ｃは、幾つかの実施形態において、魚の尾部４０ａ（図３Ａ）、幼虫類（ｇｒｕｂ）の尾部４０ｂ（図３Ｃ）、ネズミの尾部、ビーバーの尾部、芋虫類（ｗｏｒｍ）の尾部、分裂型の尾部４０ｃ（図７）、タコのスタイルの尾部、商業的に入手可能なフィッシングルアーの任意のスタイルの尾部、に似るように成形され得る。尾部アタッチメント４０ａ、４０ｂ、４０ｃは、舵部３０に脱着可能である。例えば、尾部アタッチメント４０ａ、４０ｂ、４０ｃと舵部３０とは、対になって、ネジ式の取り付け手段によって取り付け可能である。他の実施形態では、尾部アタッチメント４０ａ、４０ｂ、４０ｃは、舵部３０上でスライド式に結合され得る。
【００４４】
本発明のフィッシングルアー１の本体組立体１０は、弾性のある耐水性の任意の材料から製造され得る。例えば、幾つかの実施形態の本体組立体１０は、ポリカーボネートまたはプラスチックから製造され得る。幾つかの実施形態では、尾部アタッチメント４０ａ、４０ｂ、４０ｃは、本体組立体１０と同じ材料で製造され得る。他の実施形態では、尾部アタッチメント４０ａ、４０ｂ、４０ｃは、例えばプラスチックやゴムを含む、より柔軟な材料から製造され得る。本体組立体１０は、魚の獲物に更に似るために、あるいは、魚をより惹きつけるために、装飾されたり、パターン付けされたり、塗色されたりしてもよい。
【００４５】
本発明のフィッシングルアーの浮力は、当該ルアーに錘を付加することによって調節され得ることが、更に考慮される。例えば、ある実施形態では、１以上の錘がフィッシングルアー１に取り付けられ得て、所望の浮力にルアーが調節され得る。そのような錘は、例えば、締結具１７０ａ、１７０ｂのいずれか一つに取り付けられ得る。他の実施形態では、錘は、フィッシングルアー１の本体空洞内に挿入され得る。
【００４６】
［キット］
本発明は、付加的に、１以上の交換可能な尾部及び／または１以上の交換可能な錘を備えた、本発明のフィッシングルアー１を含むキットを提供する。交換可能な置換用尾部、及び／または、浮力調整錘は、それぞれ独立に、別個にパッケージングされてもよい。
【００４７】
本発明のより良い理解を得るために、実施例が設定されている。これら実施例は、本発明の例示的な例であって、本発明の範囲を制限することは意図されていない。
【００４８】
本明細書中で参照された特許、特許出願、刊行物及びデータベースの内容は、当該参照によって本明細書に具体的に、それら個々の特許、特許出願、刊行物及びデータベースの内容の各々が具体的かつ個別的に本明細書に記載されていたのと同じ程度に、組み込まれる。
【００４９】
本発明は、特定の実施形態を参照しながら説明されたが、本発明の精神及び範囲を逸脱することなく、様々な修正が当業者にとっては明らかである。当業者に明らかであるように、そのような修正の全ては、特許請求の範囲内に含まれることが意図されている。
【図１】
2016525891.tif 000003
【図２】
2016525891.tif 000004
【図３（Ａ）】
2016525891.tif 000005
【図３（Ｂ）】
2016525891.tif 000006
【図３（Ｃ）】
2016525891.tif 000007
【図４】
2016525891.tif 000008
【図５】
2016525891.tif 000009
【図６】
2016525891.tif 000010
【図７】
2016525891.tif 000011
【図８】
2016525891.tif 000012
【手続補正書】
【提出日】平成28年2月9日(2016.2.9)
【手続補正１】
【補正対象書類名】特許請求の範囲
【補正対象項目名】全文
【補正方法】変更
【補正の内容】
【特許請求の範囲】
【請求項１】
制御部を介してコイルに電気的に接続されたバッテリーを収容する水密性本体部を備え、
前記コイルは、磁石に対して相対的に位置決めされており、
前記コイルは、当該コイルを通過する制御部規定交流により当該コイルと前記磁石との間の磁極相互作用に応じて振動するようになっており、
前記コイル振動は、前記コイル及び前記水密性本体部に係合された尾部組立体の動きを引き起こし、当該フィッシングルアーをして水中を自己推進させるようになっている
ことを特徴とするフィッシングルアー。
【請求項２】
前記磁石は、その極性が前記コイルに向かうように方向付けられて提供されていて、前記コイルが第１電流で給電される時に当該磁石が引力を生成すると共に前記コイルが逆の第２電流で給電される時に当該磁石が斥力を生成するようになっている
ことを特徴とする請求項１に記載のフィッシングルアー。
【請求項３】
前記コイルの給電は、前記コイルの電流の方向を変えて当該コイルの磁極を変えることによって、前記制御部によって制御される
ことを特徴とする請求項２に記載のフィッシングルアー。
【請求項４】
前記尾部組立体は、前記コイルに接続され前記コイルの振動で当該尾部シャフトが振動することで当該尾部組立体の動きを引き起こす、という尾部シャフトを有している
ことを特徴とする請求項１に記載のフィッシングルアー。
【請求項５】
前記尾部組立体は、前記尾部シャフトに接続された舵部を有しており、
前記舵部は、当該舵部の上方に取り付け可能な尾部アタッチメントを更に支持する
ことを特徴とする請求項４に記載のフィッシングルアー。
【請求項６】
前記尾部アタッチメントは、魚の尾部、幼虫類の尾部、ネズミの尾部、ビーバーの尾部、芋虫類の尾部、分裂型の尾部、タコのスタイルの尾部、または、商業的に入手可能なフィッシングルアーの任意のスタイルの尾部、に似るように成形されている
ことを特徴とする請求項５に記載のフィッシングルアー。
【請求項７】
前記尾部アタッチメントは、交換可能である
ことを特徴とする請求項６に記載のフィッシングルアー。
【請求項８】
１以上のフック及び１以上の釣り糸を当該フィッシングルアーに取り付けるために前記本体部に固定された複数の締結具と、
を更に備えたことを特徴とする請求項１に記載のフィッシングルアー。
【請求項９】
前記複数の締結具は、当該フィッシングルアーの背部に位置付けられた第１糸締結具を有しており、
当該フィッシングルアーは、自己推進モードにおいて、当該第１糸締結具において釣り糸に取り付け可能である
ことを特徴とする請求項８に記載のフィッシングルアー。
【請求項１０】
前記複数の締結具は、当該フィッシングルアーの頭部に位置付けられた第２糸締結具を有しており、
当該フィッシングルアーは、手動モードにおいて、当該第２糸締結具において釣り糸に取り付け可能である
ことを特徴とする請求項９に記載のフィッシングルアー。
【請求項１１】
当該フィッシングルアーは、ポッパールアーとして成形されている
ことを特徴とする請求項１に記載のフィッシングルアー。
【請求項１２】
当該フィッシングルアーは、プラグルアーとして成形されている
ことを特徴とする請求項１に記載のフィッシングルアー。
【請求項１３】
前記プラグルアーは、リップ無しクランクベイトルアーである
ことを特徴とする請求項１２に記載のフィッシングルアー。
【請求項１４】
前記プラグルアーは、リップ付きクランクベイトルアーである
ことを特徴とする請求項１２に記載のフィッシングルアー。
【請求項１５】
第１糸締結具が、当該フィッシングルアーの背部に位置付けられており、
第２糸締結具が、前記クランクベイトリップに位置付けられており、
当該フィッシングルアーは、自己推進モードにおいて、前記第１糸締結具において釣り糸に取り付け可能であり、手動モードにおいて、前記第２糸締結具に取り付け可能である
ことを特徴とする請求項１４に記載のフィッシングルアー。
【請求項１６】
前記複数の締結具は、当該フィッシングルアーの腹部に位置付けられた１以上のフック締結具を有している
ことを特徴とする請求項１に記載のフィッシングルアー。
【請求項１７】
自己推進モードと手動モードとの間で転換可能なフィッシングルアーであって、
制御部を介してコイルに電気的に接続されたバッテリーを収容する水密性本体部と、
当該フィッシングルアーの背部に位置付けられた第１糸締結具と、
当該フィッシングルアーの頭部に位置付けられた第２糸締結具と、
を備え、
前記コイルは、磁石に対して相対的に位置決めされており、
前記コイルは、当該コイルを通過する制御部規定交流により当該コイルと前記磁石との間の磁極相互作用に応じて振動するようになっており、
前記コイル振動は、前記コイル及び前記水密性本体部に係合された尾部組立体の動きを引き起こし、当該フィッシングルアーをして水中を自己推進させるようになっており、
当該フィッシングルアーは、水中を自己推進される時には、前記第１糸締結具で釣り糸に取り付け可能であり、手中を手動操作される時には、前記第２糸締結具に取り付け可能である
ことを特徴とするフィッシングルアー。
【請求項１８】
当該フィッシングルアーは、ポッパールアーとして成形されている
ことを特徴とする請求項１７に記載のフィッシングルアー。
【請求項１９】
当該フィッシングルアーは、リップ無しクランクベイトルアーとして成形されている
ことを特徴とする請求項１７に記載のフィッシングルアー。
【請求項２０】
当該フィッシングルアーは、リップ付きクランクベイトルアーとして成形されている
ことを特徴とする請求項１７に記載のフィッシングルアー。
【請求項２１】
前記第２糸締結部は、前記リップ付きクランクベイトルアーのリップ部に位置付けられている
ことを特徴とする請求項２０に記載のフィッシングルアー。
【請求項２２】
前記尾部組立体は、魚の尾部、幼虫類の尾部、ネズミの尾部、ビーバーの尾部、芋虫類の尾部、分裂型の尾部、タコのスタイルの尾部、または、商業的に入手可能なフィッシングルアーの任意のスタイルの尾部、に似るように成形された尾部アタッチメントを有している
ことを特徴とする請求項１７に記載のフィッシングルアー。
【請求項２３】
前記尾部アタッチメントは、交換可能である
ことを特徴とする請求項２２に記載のフィッシングルアー。
【請求項２４】
前記バッテリーは、充電可能である
ことを特徴とする請求項１乃至２３のいずれかに記載のフィッシングルアー。
【請求項２５】
前記本体部は、水密性のポートと、前記バッテリーを充電するために好適な充電プラグに接続するための充電ソケットと、を有する
ことを特徴とする請求項２４に記載のフィッシングルアー。
【請求項２６】
前記本体部は、魚の獲物に似るべく、装飾され、パターン付けされ、または、塗色されている
ことを特徴とする請求項１乃至２５のいずれかに記載のフィッシングルアー。
【請求項２７】
当該ルアーの浮力を調整するための１以上の錘
を更に備えたことを特徴とする請求項１乃至２６のいずれかに記載のフィッシングルアー。
【請求項２８】
１以上のＬＥＤインジケータライト
を更に備えたことを特徴とする請求項１乃至２７のいずれかに記載のフィッシングルアー。
【請求項２９】
前記インジケータライトは、当該フィッシングルアーの駆動状態を信号表示する
ことを特徴とする請求項２８に記載のフィッシングルアー。
【請求項３０】
前記インジケータライトは、当該フィッシングルアーのバッテリー充電を信号表示する
ことを特徴とする請求項２８に記載のフィッシングルアー。
【請求項３１】
請求項１乃至１７のいずれかに記載のフィッシングルアーを備えたキットであって、
前記尾部組立体は、１以上の交換可能な尾部アタッチメントを有しており、
各尾部アタッチメントは、異なるスタイルの尾部に似るように成形されている
ことを特徴とするキット。
【請求項３２】
前記１以上の交換可能な尾部アタッチメントは、魚の尾部、幼虫類の尾部、ネズミの尾部、ビーバーの尾部、芋虫類の尾部、分裂型の尾部、タコのスタイルの尾部、または、商業的に入手可能なフィッシングルアーの任意のスタイルの尾部、に似るように成形されている
ことを特徴とする請求項３１に記載のキット。
【手続補正２】
【補正対象書類名】図面
【補正対象項目名】全図
【補正方法】変更
【補正の内容】
【図１】
2016525891.tif 000013
【図２】
2016525891.tif 000014
【図３】
2016525891.tif 000015
【図４】
2016525891.tif 000016
【図５】
2016525891.tif 000017
【図６】
2016525891.tif 000018
【図７】
2016525891.tif 000019
【図８】
2016525891.tif 000020
【手続補正書】
【提出日】平成28年6月27日(2016.6.27)
【手続補正１】
【補正対象書類名】手続補正書
【補正対象項目名】手続補正３
【補正方法】追加
【補正の内容】
【手続補正３】
【補正対象書類名】明細書
【補正対象項目名】００１５
【補正方法】変更
【補正の内容】
【００１５】
【図３】図３Ａ、図３Ｂ及び図３Ｃは、本発明の実施形態に従う、フィッシングルアーの３つのバリエーションの側方断面図である。
【国際調査報告】
2016525891.tif 000021
2016525891.tif 000022
2016525891.tif 000023